【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
電力系統に接続された電池を制御する電池制御装置であって、
前記電池の状態を表す状態情報を外部装置に送信し、
前記状態情報とＮ（Ｎは１以上の整数）個の前記電池制御装置で制御される１又は複数の前記電池に割当てられる電力量と、に基づいて生成される前記電池の動作制御情報を前記外部装置から受信する第１通信手段と、
前記動作制御情報に基づいて、前記電池の動作を制御する制御手段と、を含む電池制御装置。
【請求項２】
前記制御手段は、前記電力系統の状態と、前記第１通信手段にて受信された前記動作制御情報とに基づいて、前記電池の動作を制御する、請求項１に記載の電池制御装置。
【請求項３】
前記状態情報として、前記電池の充放電可能容量または充放電出力を特定する電池情報を検出する第１検出手段を備える、請求項１または２に記載の電池制御装置。
【請求項４】
前記状態情報として、前記電力系統と前記電池との連系点の状態を検出する第２検出手段を備える、請求項１または２に記載の電池制御装置。
【請求項５】
前記電力系統の状態と基準状態との差を検出する第３検出手段を備える、請求項１から４のいずれか１項に記載の電池制御装置。
【請求項６】
前記動作制御情報は、前記Ｎ個の電池制御装置にて制御される前記電池の充放電可能容量の総量と前記電池に分担されている電力量との比を示す情報を含む、請求項１から５のいずれか１項に記載の電池制御装置。
【請求項７】
前記制御手段は、前記電力系統の状態と前記基準状態との差と、前記動作制御情報とに基づいて前記電池の動作を制御する、請求項５に記載の電池制御装置。
【請求項８】
前記制御手段は、前記電力系統の状態と前記基準状態との差と、前記動作制御情報とに基づいて前記電池の充放電量または充放電出力を算出し、前記電池に対して充電または放電の指示を行う、請求項５に記載の電池制御装置。
【請求項９】
前記第１通信手段は、前記外部装置から前記動作制御情報を所定時間間隔で受信し、
前記制御手段は、前記所定時間間隔より短い時間間隔で前記電池の動作を制御する、請求項１から８のいずれか１項に記載の電池制御装置。
【請求項１０】
前記第１通信手段は、前記状態情報を外部装置に送信し、前記動作制御情報を受信する送受信を所定間隔で行う、請求項１から９のいずれか１項に記載の電池制御装置。
【請求項１１】
前記制御手段は、さらに前記状態情報に基づいて、前記電池の動作を制御する、請求項１から１０のいずれか１項に記載の電池制御装置。
【請求項１２】
前記制御手段は、前記電力系統の状態に応じて特定される電力量を前記比に基づいて調整した調整電力量を特定し、当該調整電力量での充電または放電を前記電池に対して実行する、請求項６に記載の電池制御装置。
【請求項１３】
前記第１通信手段は、前記状態情報に基づいて生成された、前記電池の状態を基準状態に近づける充電量または放電量を示す補正情報を、前記外部装置から受信し、
前記制御手段は、前記第１通信手段にて受信された補正情報に基づいて、前記電池の動作を制御する、請求項１から１２のいずれか１項に記載の電池制御装置。
【請求項１４】
前記第１通信手段は、Ｍ（Ｍは２以上の数）個の前記電池制御装置に送信される各補正情報に示された充電量または放電量について、前記充電量を正の値とし前記放電量を負の値とした場合に、前記充電量と前記放電量の総和が０になる各補正情報のうち、自装置に対応する補正情報を受信する、請求項１３に記載の電池制御装置。
【請求項１５】
前記第１通信手段は、Ｍ（Ｍは２以上の数）個の前記電池制御装置に送信される各補正情報に示された充電量または放電量について、前記充電量を正の値とし前記放電量を負の値とした場合に、時間の経過に伴う前記充電量と前記放電量の総和の変化の速度が、前記電力系統に接続された外部の電力安定化装置が行う電力安定化動作の応答速度の上限以下になるように生成された各補正情報のうち、自装置に対応する補正情報を受信する、請求項１３に記載の電池制御装置。
【請求項１６】
前記第１通信手段は、前記外部装置から前記電池の基準状態を受信し、
前記制御手段は、前記第１通信手段にて受信された電池の基準状態と、前記状態情報が表す電池の状態との差に基づいて前記電池の動作を制御する、請求項１から１２のいずれか１項に記載の電池制御装置。
【請求項１７】
前記第１通信手段は、前記電池の状態を補正する補正速度を特定するための速度関連状態を前記外部装置から受信し、
前記制御手段は、前記第１通信手段にて受信された速度関連情報で前記差を補正し、当該補正の結果に基づいて、前記電池の動作を制御する、請求項１６に記載の電池制御装置。
【請求項１８】
電力系統に接続された電池の動作を制御する電池制御装置であって、
前記電力系統と前記電池との連系点の状態を外部装置に送信し、前記連系点の状態と前記電力系統内の電圧調整対象個所の電圧である調整対象電圧とに基づいて生成された、前記電池の動作を制御するための動作制御情報を前記外部装置から受信する第１通信手段と、
前記動作制御情報に基づいて、前記電池の動作を制御する制御手段と、を含む電池制御装置。
【請求項１９】
前記制御手段は、前記連系点の状態と、前記第１通信手段にて受信された動作制御情報とに基づいて前記電池の動作を制御する請求項１８に記載の電池制御装置。
【請求項２０】
前記第１通信手段は、前記連系点の状態と前記調整対象電圧との相関関係を表す相関関係情報である前記動作制御情報を受信し、
前記制御手段は、前記相関関係情報を用いて、前記連系点の状態から前記調整対象電圧を算出し、当該算出の結果が所定電圧範囲から外れている場合、前記調整対象電圧が前記所定電圧範囲に収まるように、前記相関関係情報を用いて前記電池の動作を制御する、請求項１８に記載の電池制御装置。
【請求項２１】
前記電力系統には、前記調整対象電圧が、前記所定電圧範囲内の特定電圧範囲から特定時間継続して外れている場合に、前記調整対象電圧を前記特定電圧範囲内の電圧に変更する電圧調整装置が設けられており、
前記制御手段は、前記算出の結果が前記所定電圧範囲の上限値よりも高い場合には、前記調整対象電圧が、当該上限値と前記特定電圧範囲の上限値との間の範囲に含まれるように、前記相関関係情報を用いて前記電池の動作を制御し、前記算出の結果が前記所定電圧範囲の下限値よりも低い場合には、前記調整対象電圧が、当該下限値と前記特定電圧範囲の下限値との間の範囲に含まれるように、前記相関関係情報を用いて前記電池の動作を制御する、請求項２０に記載の電池制御装置。
【請求項２２】
前記第１通信手段は、前記動作制御情報を不定期に受信する、請求項１から２１のいずれか１項に記載の電池制御装置。
【請求項２３】
前記制御手段は、前記電力系統の状態と前記動作制御情報とに基づいて電池の動作を制御する時間間隔が不定期である、請求項１から２１のいずれか１項に記載の電池制御装置。
【請求項２４】
電力系統に接続された電池の動作を制御する電池制御装置から前記電池の状態を表す状態情報を受信し、前記電池の動作を制御するための動作制御情報を前記電池制御装置へ送信する第２通信手段と、
前記第２通信手段にて受信した前記状態情報と、Ｎ（Ｎは１以上の整数）個の前記電池制御装置で制御される１又は複数の前記電池に分担される電力量と、に基づいて前記動作制御情報を生成する処理手段と、を含む制御装置。
【請求項２５】
前記電力系統での電力量を調整する前記Ｎ個の電池制御装置にて制御される電池に分担されている電力量を把握する把握手段を備える請求項２４に記載の制御装置。
【請求項２６】
前記第２通信手段は、前記状態情報として、前記電池の充放電可能容量または充放電出力を特定する電池情報を受信する請求項２４または２５に記載の制御装置。
【請求項２７】
前記第２通信手段は、前記状態情報として前記電力系統と前記電池との連系点の状態を受信する検出する請求項２４または２５に記載の制御装置。
【請求項２８】
前記動作制御情報は、前記Ｎ個の電池制御装置にて制御される電池の充放電可能容量の総量と前記電池に分担されている電力量との比を示す情報を含む請求項２４から２７のいずれか１項に記載の制御装置。
【請求項２９】
前記第２通信手段は、前記動作制御情報に基づいて前記電池が動作を行う所定の時間間隔より長い時間間隔で、前記動作制御情報を電池制御装置に送信する請求項２４から２８のいずれか１項に記載の制御装置。
【請求項３０】
前記第２通信手段は、前記状態情報を受信し、前記動作制御情報を送信する送受信を前記所定間隔で行う請求項２４から２９のいずれか１項に記載の制御装置。
【請求項３１】
前記処理手段は、前記状態情報に基づいて、前記電池の状態を基準状態に近づける充電量または放電量を示す補正情報を生成し、当該補正情報を前記第２通信手段から前記電池制御装置に送信する、請求項２４から３０のいずれか１項に記載の制御装置。
【請求項３２】
前記電池制御装置の数Ｎは、Ｍ（Ｍは２以上の整数）であり、
前記処理手段は、各補正情報に示された充電量または放電量について、前記充電量を正の値とし前記放電量を負の値とした場合に、前記充電量と前記放電量の総和が０になる各補正情報を生成する、請求項３１に記載の制御装置。
【請求項３３】
前記電池制御装置の数Ｎは、Ｍ（Ｍは２以上の整数）であり、
前記処理手段は、各補正情報に示された充電量または放電量について、前記充電量を正の値とし前記放電量を負の値とした場合に、時間の経過に伴う前記充電量と前記放電量の総和の変化の速度が、前記電力系統に接続された外部の電力安定化装置が行う電力安定化動作の応答速度の上限以下になるように、各補正情報を生成する、請求項３１に記載の制御装置。
【請求項３４】
前記電池制御装置の数Ｎは、Ｍ（Ｍは２以上の整数）であり、
前記電力系統の状態は、数値にて表されるものであり、
前記処理手段は、前記電池ごとに、当該電池の状態情報に基づいて、当該電池の状態を目標状態に近づける充電量または放電量を特定し、前記電力系統の状態を表す数値が所定範囲内である状況において各電池の前記充電量または前記放電量の総和が前記数値に対して線形の関係になるように前記充電量または前記放電量を補正し、補正後の前記充電量または前記放電量を用いて、前記電力系統の状態と前記電池の動作内容との関係を示した動作情報を生成し、当該動作情報を前記第２通信手段から前記電池制御装置に送信する、請求項２４に記載の制御装置。
【請求項３５】
前記処理手段は、前記電池の基準状態を、前記第２通信手段から前記電池制御装置に送信する、請求項２４に記載の制御装置。
【請求項３６】
前記処理手段は、前記電池の状態を補正する補正速度を特定するための速度関連情報を、前記第２通信手段から前記電池制御装置に送信する、請求項３５に記載の制御装置。
【請求項３７】
前記把握手段は、前記Ｎ個の電池制御装置にて制御される電池全体に分担されている電力量を特定するための電力量情報を、前記電力系統を制御する外部制御装置から受け付ける、請求項２５から３３のいずれか１項に記載の制御装置。
【請求項３８】
前記状態情報は、前記電池の充放電可能容量を特定するための電池情報であり、
前記把握手段は、前記Ｎ個の電池制御装置からの前記状態情報にて特定される前記Ｎ個の電池制御装置にて制御される電池の充放電可能容量の総量を示す通知情報を前記外部制御装置に送信し、前記充放電可能容量の総量が反映された前記電力量情報を、前記外部制御装置から受信する、請求項３７に記載の制御置。
【請求項３９】
電力系統に接続された電池の動作を制御する電池制御装置から前記電力系統と前記電池との連系点の状態を受信する第２通信手段と、
前記電力系統内の電圧調整対象箇所の電圧である調整対象電圧を把握する把握手段と、
前記連系点の状態と、前記把握手段にて把握された調整対象電圧と、に基づいて、前記電池の動作を制御するための動作制御情報を生成し、当該動作制御情報を前記第２通信手段から前記電池制御装置に送信する処理手段と、を含む制御装置。
【請求項４０】
前記処理手段は、前記動作制御情報として、前記連系点の状態と、前記把握手段にて把握された調整対象電圧と、の相関関係を表す相関関係情報を生成する、請求項３９に記載の制御装置。
【請求項４１】
前記第２通信手段は、前記動作制御情報を不定期に送信する、請求項２４から４０のいずれか１項に記載の制御装置。
【請求項４２】
電力系統に接続された電池を制御する電池制御装置と、前記電池制御装置と通信する制御装置と、を含む電池制御システムであって、
前記電池制御装置は、
前記電池の状態を表す状態情報を前記制御装置に送信し、前記制御装置から前記電池の動作を制御する動作制御情報を受信する第１通信手段と、
前記動作制御情報に基づいて前記電池の動作を制御する制御手段と、を含み、
前記制御装置は、
前記電池制御装置から前記状態情報を受信する第２通信手段と、
前記状態情報と、Ｎ（Ｎは１以上の整数）個の前記電池制御装置で制御される１又は複数の前記電池に分担される電力量とに基づいて前記動作制御情報を生成し、当該動作制御情報を前記第２通信手段から前記電池制御装置に送信する処理手段と、を含む電池制御システム。
【請求項４３】
電力系統に接続された電池を制御する電池制御装置と、前記電池制御装置と通信する制御装置と、を含む電池制御システムであって、
前記電池制御装置は、
前記電力系統と前記電池との連系点の状態を外部装置に送信し、前記連系点の状態と前記電力系統内の電圧調整対象個所の電圧である調整対象電圧とに基づいて生成された、前記電池の動作を制御する動作制御情報を前記外部装置から受信する第１通信手段と、
前記動作制御情報に基づいて、前記電池の動作を制御する制御手段と、を含み、
前記制御装置は、
前記電池制御装置と通信し、前記電力系統と前記電池との連系点の状態を受信する第２通信手段と、
前記電力系統内の電圧調整対象箇所の電圧である調整対象電圧を把握する把握手段と、
前記連系点の状態と、前記把握手段にて把握された調整対象電圧と、に基づいて、前記電池の動作を制御するための動作制御情報を生成し、当該動作制御情報を前記第２通信手段から前記電池制御装置に送信する処理手段と、を含む電池制御システム。
【請求項４４】
電力系統に接続された電池を制御する電池制御装置が行う電力制御方法であって、
前記電池の状態を表す状態情報を外部装置に送信し、
前記状態情報とＮ（Ｎは１以上の整数）個の前記電池制御装置で制御される１又は複数の前記電池に割当てられる電力量とに基づいて生成される前記電池の動作制御情報を前記外部装置から受信し、
前記動作制御情報に基づいて前記電池の動作を制御する、電池制御方法。
【請求項４５】
電力系統に接続された電池の動作を制御する電池制御装置が行う電力制御方法であって、
前記電力系統と前記電池との連系点の状態を外部装置に送信し、
前記連系点の状態と前記電力系統内の電圧調整対象個所の電圧である調整対象電圧とに基づいて生成された、前記電池の動作を制御する動作制御情報を前記外部装置から受信し、
前記動作制御情報に基づいて前記電池の動作を制御する、電池制御方法。
【請求項４６】
制御装置が行う電池制御支援方法であって、
電力系統に接続された電池を制御する電池制御装置から前記電池の状態を表す状態情報を受信し、
前記状態情報と、Ｎ（Ｎは１以上の整数）個の前記電池制御装置で制御される１又は複数の前記電池に分担される電力量とに基づいて前記電池の動作を制御するための動作制御情報を生成し、
前記動作制御情報を前記電池制御装置へ送信する、電池制御支援方法。
【請求項４７】
電力系統に接続された電池の動作を制御する電池制御装置と通信する制御装置が行う電池制御支援方法であって、
前記電池制御装置から前記電力系統と前記電池との連系点の状態を受信し、
前記電力系統内の電圧調整対象箇所の電圧である調整対象電圧を把握し、
前記連系点の状態と、前記把握手段にて把握された調整対象電圧と、に基づいて、前記電池の動作を制御するための動作制御情報を生成し、
当該動作制御情報を前記電池制御装置へ送信する、電池制御支援方法。
【請求項４８】
電力系統に接続された電池を制御する電池制御装置と、前記電池制御装置と通信する制御装置と、を含む電池制御システムで行う電池制御方法であって、
前記電池制御装置が、
前記電池の状態を表す状態情報を前記制御装置に送信し、
前記制御装置が、
前記電池制御装置から前記状態情報を受信し、
前記状態情報と、Ｎ（Ｎは１以上の整数）個の前記電池制御装置で制御される１又は複数の前記電池に分担される電力量とに基づいて前記電池の動作を制御する動作制御情報を生成し、
生成した動作制御情報を前記電池制御装置へ送信し、
前記電池制御装置が、
前記制御装置から受信した前記動作制御情報に基づいて前記電池の動作を制御する、電池制御方法。
【請求項４９】
電力系統に接続された電池を制御する電池制御装置と、前記電池制御装置と通信する制御装置と、を含む電池制御システムで行う電池制御方法であって、
前記電池制御装置が、
前記電力系統と前記電池との連系点の状態を前記制御装置に送信し、
前記制御装置が、
前記電池制御装置から前記連系点の状態を受信し、
前記電力系統内の電圧調整対象箇所の電圧である調整対象電圧を把握し、
前記連系点の状態と、前記把握手段にて把握された調整対象電圧と、に基づいて、前記電池の動作を制御するための動作制御情報を生成し、
生成した動作制御情報を前記電池制御装置へ送信し、
前記電池制御装置が、
前記制御装置から受信した前記動作制御情報に基づいて前記電池の動作を制御する、電池制御方法。
【手続補正２】
【補正対象書類名】明細書
【補正対象項目名】発明の名称
【補正方法】変更
【補正の内容】
【発明の名称】電池制御装置、制御装置、電池制御システム、電池制御方法及び電池制御支援方法
【手続補正３】
【補正対象書類名】明細書
【補正対象項目名】０００１
【補正方法】変更
【補正の内容】
【０００１】
本発明は、電池制御装置、制御装置、電池制御システム、電池制御方法及び電池制御支援方法に関し、特には、電力系統に接続された電池の放電または充電を制御する電池制御装置、制御装置、電池制御システム、電池制御方法及び電池制御支援方法に関する。
【手続補正４】
【補正対象書類名】明細書
【補正対象項目名】００１６
【補正方法】変更
【補正の内容】
【００１６】
本発明の目的は、上記課題を解決可能な電池制御装置、制御装置、電池制御システム、電池制御方法及び電池制御支援方法を提供することである。
【手続補正５】
【補正対象書類名】明細書
【補正対象項目名】００１７
【補正方法】変更
【補正の内容】
【００１７】
本発明の電池制御装置は、
電力系統に接続された電池を制御する電池制御装置であって、
前記電池の状態を表す状態情報を外部装置に送信し、
前記状態情報とＮ（Ｎは１以上の整数）個の前記電池制御装置で制御される１又は複数の前記電池に割当てられる電力量と、に基づいて生成される前記電池の動作制御情報を前記外部装置から受信する第１通信手段と、
前記動作制御情報に基づいて、前記電池の動作を制御する制御手段と、を含む。
【手続補正６】
【補正対象書類名】明細書
【補正対象項目名】００１８
【補正方法】変更
【補正の内容】
【００１８】
または、本発明の電池制御装置は、
電力系統に接続された電池の動作を制御する電池制御装置であって、
前記電力系統と前記電池との連系点の状態を外部装置に送信し、前記連系点の状態と前記電力系統内の電圧調整対象個所の電圧である調整対象電圧とに基づいて生成された、前記電池の動作を制御するための動作制御情報を前記外部装置から受信する第１通信手段と、
前記動作制御情報に基づいて、前記電池の動作を制御する制御手段と、を含む。
【手続補正７】
【補正対象書類名】明細書
【補正対象項目名】００１９
【補正方法】変更
【補正の内容】
【００１９】
本発明の制御装置は、
電力系統に接続された電池の動作を制御する電池制御装置から前記電池の状態を表す状態情報を受信し、前記電池の動作を制御するための動作制御情報を前記電池制御装置へ送信する第２通信手段と、
前記第２通信手段にて受信した前記状態情報と、Ｎ（Ｎは１以上の整数）個の前記電池制御装置で制御される１又は複数の前記電池に分担される電力量と、に基づいて前記動作制御情報を生成する処理手段と、を含む。
または、電力系統に接続された電池の動作を制御する電池制御装置から前記電力系統と前記電池との連系点の状態を受信する第２通信手段と、
前記電力系統内の電圧調整対象箇所の電圧である調整対象電圧を把握する把握手段と、
前記連系点の状態と、前記把握手段にて把握された調整対象電圧と、に基づいて、前記電池の動作を制御するための動作制御情報を生成し、当該動作制御情報を前記第２通信手段から前記電池制御装置に送信する処理手段と、を含む。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】変更
【補正の内容】
【００２１】
本発明の電池制御システムは、
電力系統に接続された電池を制御する電池制御装置と、前記電池制御装置と通信する制御装置と、を含む電池制御システムであって、
前記電池制御装置は、
前記電池の状態を表す状態情報を前記制御装置に送信し、前記制御装置から前記電池の動作を制御する動作制御情報を受信する第１通信手段と、
前記動作制御情報に基づいて前記電池の動作を制御する制御手段と、を含み、
前記制御装置は、
前記電池制御装置から前記状態情報を受信する第２通信手段と、
前記状態情報と、Ｎ（Ｎは１以上の整数）個の前記電池制御装置で制御される１又は複数の前記電池に分担される電力量とに基づいて前記動作制御情報を生成し、当該動作制御情報を前記第２通信手段から前記電池制御装置に送信する処理手段と、を含む。
または、電力系統に接続された電池を制御する電池制御装置と、前記電池制御装置と通信する制御装置と、を含む電池制御システムであって、
前記電池制御装置は、
前記電力系統と前記電池との連系点の状態を外部装置に送信し、前記連系点の状態と前記電力系統内の電圧調整対象個所の電圧である調整対象電圧とに基づいて生成された、前記電池の動作を制御する動作制御情報を前記外部装置から受信する第１通信手段と、
前記動作制御情報に基づいて、前記電池の動作を制御する制御手段と、を含み、
前記制御装置は、
前記電池制御装置と通信し、前記電力系統と前記電池との連系点の状態を受信する第２通信手段と、
前記電力系統内の電圧調整対象箇所の電圧である調整対象電圧を把握する把握手段と、
前記連系点の状態と、前記把握手段にて把握された調整対象電圧と、に基づいて、前記電池の動作を制御するための動作制御情報を生成し、当該動作制御情報を前記第２通信手段から前記電池制御装置に送信する処理手段と、を含む。
【手続補正１０】
【補正対象書類名】明細書
【補正対象項目名】００２２
【補正方法】変更
【補正の内容】
【００２２】
本発明の電池制御方法は、
電力系統に接続された電池を制御する電池制御装置が行う電力制御方法であって、
前記電池の状態を表す状態情報を外部装置に送信し、
前記状態情報とＮ（Ｎは１以上の整数）個の前記電池制御装置で制御される１又は複数の前記電池に割当てられる電力量とに基づいて生成される前記電池の動作制御情報を前記外部装置から受信し、
前記動作制御情報に基づいて前記電池の動作を制御する。
【手続補正１１】
【補正対象書類名】明細書
【補正対象項目名】００２３
【補正方法】変更
【補正の内容】
【００２３】
または、本発明の電池制御方法は、
電力系統に接続された電池の動作を制御する電池制御装置が行う電力制御方法であって、
前記電力系統と前記電池との連系点の状態を外部装置に送信し、
前記連系点の状態と前記電力系統内の電圧調整対象個所の電圧である調整対象電圧とに基づいて生成された、前記電池の動作を制御する動作制御情報を前記外部装置から受信し、
前記動作制御情報に基づいて前記電池の動作を制御する。
【手続補正１２】
【補正対象書類名】明細書
【補正対象項目名】００２４
【補正方法】変更
【補正の内容】
【００２４】
または、本発明の電池制御方法は、
電力系統に接続された電池を制御する電池制御装置と、前記電池制御装置と通信する制御装置と、を含む電池制御システムで行う電池制御方法であって、
前記電池制御装置が、
前記電池の状態を表す状態情報を前記制御装置に送信し、
前記制御装置が、
前記電池制御装置から前記状態情報を受信し、
前記状態情報と、Ｎ（Ｎは１以上の整数）個の前記電池制御装置で制御される１又は複数の前記電池に分担される電力量とに基づいて前記電池の動作を制御する動作制御情報を生成し、
生成した動作制御情報を前記電池制御装置へ送信し、
前記電池制御装置が、
前記制御装置から受信した前記動作制御情報に基づいて前記電池の動作を制御する。
または、電力系統に接続された電池を制御する電池制御装置と、前記電池制御装置と通信する制御装置と、を含む電池制御システムで行う電池制御方法であって、
前記電池制御装置が、
前記電力系統と前記電池との連系点の状態を前記制御装置に送信し、
前記制御装置が、
前記電池制御装置から前記連系点の状態を受信し、
前記電力系統内の電圧調整対象箇所の電圧である調整対象電圧を把握し、
前記連系点の状態と、前記把握手段にて把握された調整対象電圧と、に基づいて、前記電池の動作を制御するための動作制御情報を生成し、
生成した動作制御情報を前記電池制御装置へ送信し、
前記電池制御装置が、
前記制御装置から受信した前記動作制御情報に基づいて前記電池の動作を制御する。
本発明の電池制御支援方法は、
制御装置が行う電池制御支援方法であって、
電力系統に接続された電池を制御する電池制御装置から前記電池の状態を表す状態情報を受信し、
前記状態情報と、Ｎ（Ｎは１以上の整数）個の前記電池制御装置で制御される１又は複数の前記電池に分担される電力量とに基づいて前記電池の動作を制御するための動作制御情報を生成し、
前記動作制御情報を前記電池制御装置へ送信する。
または、電力系統に接続された電池の動作を制御する電池制御装置と通信する制御装置が行う電池制御支援方法であって、
前記電池制御装置から前記電力系統と前記電池との連系点の状態を受信し、
前記電力系統内の電圧調整対象箇所の電圧である調整対象電圧を把握し、
前記連系点の状態と、前記把握手段にて把握された調整対象電圧と、に基づいて、前記電池の動作を制御するための動作制御情報を生成し、
当該動作制御情報を前記電池制御装置へ送信する。